(57)【特許請求の範囲】
【請求項１】
個人設定されたデジタルコンテンツを対象物にリンクする方法であって、
ａ．前記対象物に関連づけて個人設定されたデジタルコンテンツを作成するために個人的なリンクにアクセスする工程；
及び
ｂ．近距離無線通信タグを前記個人的なリンクと符号化する工程
を含み、
前記近距離無線通信タグは、前記近距離無線通信タグと前記個人的なリンクに固有のシリアルコードを備え、前記個人設定されたデジタルコンテンツは、前記固有のシリアルコードを有する符号化された近距離無線通信タグによってのみアクセス可能に構成され、
前記個人設定されたデジタルコンテンツは、前記符号化された近距離無線通信タグのタグ本体がタップされることによって自動的にアクセスされることを特徴とする方法。
【請求項２】
前記プログラムを電子媒体装置上にインストールする工程を更に含む請求項１に記載の方法。
【請求項３】
前記近距離無線通信タグは、前記個人設定されたデジタルコンテンツが符号化された後にロックされることを特徴とする請求項１に記載の方法。
【請求項４】
前記個人設定されたデジタルコンテンツは個人設定されたウェブアドレス又はウェブベースのプログラムへのリンクによって前記近距離無線通信タグがアクセスされることを特徴とする請求項１に記載の方法。
【請求項５】
前記近距離無線通信タグはタグ本体内に埋めこまれることを特徴とする請求項１に記載の方法。
【請求項６】
前記タグ本体を追加の対象物に取り付ける工程を更に含む請求項５に記載の方法。
【請求項７】
前記追加の対象物がろうそく、グリーティングカード、イベント招待状又は商品ギフトバスケットを含む請求項６に記載の方法。
【請求項８】
前記個人設定されたデジタルコンテンツが前記追加の対象物に関する請求項６に記載の方法。
【請求項９】
前記タグ本体は前記近距離無線通信タグが符号化された後、前記追加の対象物に取り付けられることを特徴とする請求項６に記載の方法。
【請求項１０】
個人設定されたデジタルコンテンツを対象物にリンクし、前記個人設定されたデジタルコンテンツが前記対象物に関連づけられるシステムであって、
ａ．固有のシリアルコードとタグ本体を含み、追加の対象物に取り付けるために設定されるプログラム可能な近距離無線通信タグ；及び
ｂ．個人設定されたデジタルコンテンツを有する近距離無線通信タグを符号化し、前記個人設定されたデジタルコンテンツは、前記固有のシリアルコードを有する前記符号化された近距離無線通信タグによってのみアクセス可能に構成されるためのプログラム
を含むシステム。
【請求項１１】
前記個人設定されたデジタルコンテンツは、前記タグが符号化された後、前記近距離無線通信タグの前記タグ本体がタップされることによって自動的にアクセスされることを特徴とする請求項１０に記載のシステム。
【請求項１２】
前記個人設定されたデジタルコンテンツは個人設定されたウェブアドレス又はウェブベースのプログラムへのリンクによって前記近距離無線通信タグがアクセスされることを特徴とする請求項１１に記載のシステム。
【請求項１３】
前記近距離無線通信タグは当該タグが符号化された後ロックされることを特徴とする請求項１０に記載のシステム。
【請求項１４】
前記プログラムは電子媒体装置にインストールされることを特徴とする請求項１０に記載のシステム。
【請求項１５】
前記追加の対象物がろうそく、グリーティングカード、イベント招待状又は商品ギフトバスケットを含む請求項１０のシステム。
【請求項１６】
前記個人設定されたデジタルコンテンツが前記追加の対象物に関する請求項１０のシステム。
【請求項１７】
前記タグ本体は、前記近距離無線通信タグが符号化された後に前記追加の対象物に取り付けられることを特徴とする請求項１０に記載のシステム。
【請求項１８】
個人設定されたデジタルコンテンツを対象物にリンクし、前記個人設定されたデジタルコンテンツが前記対象物に関連づけられる装置であって、
ａ．タグ本体；
ｂ．固有のシリアルコードを備え、前記タグ本体内に埋め込まれるプログラム可能な近距離無線通信タグ；及び
ｃ．前記タグ本体を追加の対象物に取り付ける機構
を含み、
前記個人設定されたデジタルコンテンツは、前記固有のシリアルコードを有する符号化された近距離無線通信タグによってのみアクセス可能に構成される装置。
【請求項１９】
前記タグ本体がろうそく、グリーティングカード、イベント招待状又は商品ギフトバスケットに取り付けられることを特徴とする請求項１８に記載の装置。
【請求項２０】
前記近距離無線通信タグは個人設定されたデジタルコンテンツによって符号化されることを特徴とする請求項１８に記載の装置。
【請求項２１】
前記個人設定されたデジタルコンテンツが前記追加の対象物に関する請求項２０に記載の装置。
【請求項２２】
前記個人設定されたデジタルコンテンツは個人設定されたウェブアドレス又はウェブベースのプログラムへのリンクによって前記近距離無線通信タグがアクセスされることを特徴とする請求項２０に記載の装置。
【請求項２３】
個人設定されたデジタルコンテンツを対象物にリンクし、個人設定されたデジタルコンテンツが前記対象物に関連づけられる装置であって、
ａ．タグ本体；
ｂ．固有のシリアルコードを備え、前記タグ本体内に埋め込まれるプログラム可能な近距離無線通信タグ；
ｃ．前記タグ本体を追加の対象物に取り付ける機構；及び
ｄ．取り外し可能なカバー
を備え、
前記個人設定されたデジタルコンテンツは、前記固有のシリアルコードを有する前記符号化された近距離無線通信タグによってのみアクセス可能に構成される装置。
【請求項２４】
前記取り外し可能なカバーは、前記近距離無線通信タグを符号化して、前記符号化された情報にアクセスする方法についての指示を含むことを特徴とする請求項２３に記載の装置。
【請求項２５】
前記取り外し可能なカバーが、接着剤で、静電的に、又は、面ファスナーによって、前記タグ本体に取り付けられる請求項２３に記載の装置。
【発明の詳細な説明】
【技術分野】
【０００１】
本発明は一般に、近距離無線通信（ＮＦＣ）及びＮＦＣタグの分野に、関する。特に、本発明は、独立してプログラム可能なＮＦＣタグ及びその方法に関する。
【背景技術】
【０００２】
近距離無線通信（ＮＦＣ）は、近くに位置している二者間のデータ転送及び通信、及び／又はＮＦＣ対応装置への接触を可能にする無線技術である。ＮＦＣ装置を一緒にタップすることによって、連絡先、クレジットカード情報、テキスト及びＵＲＬ情報等のデータを交換することが可能である。同様に、埋め込み型ＮＦＣチップを有するＮＦＣタグは、ＮＦＣ対応装置によってアクセスすることができる情報で符号化される。ＮＦＣタグは、映画ポスター、メニュー、パーキングメータ及び鉄道回転式改札等の対象物に取り付けられる。これらのＮＦＣタグをタップすることによって、ＮＦＣ対応装置は、映画データ、メニューの栄養情報及び、駐車及び鉄道切符の支払いにアクセスすることができる。ＮＦＣチップ及びタグは、速くて便利な方法で情報及びデータにＮＦＣ対応装置がアクセスできるようにする。しかし、情報が予めプログラムされるか又はＮＦＣタグに符号化されることが多いので、ＮＦＣタグ上の情報がカスタマイズされるか又は個人設定されることが可能である範囲は制限される。
【発明の概要】
【課題を解決するための手段】
【０００３】
カスタマイズ可能な及び個人設定された情報を近距離無線通信（ＮＦＣ）タグに自動的にリンクさせる方法、システム及び装置は、個人設定されたメッセージを有する前記ＮＦＣタグをプログラミング及び／又は符号化し、グリーティングカード、イベント招待状、ろうそく又は贈り物バスケット等の対象物にＮＦＣ本体を取り付けることを含む。受取人が前記対象物を受け取るとき、前記受取人は自動的に個人設定されたメッセージにアクセスするためにＮＦＣ対応装置を有するＮＦＣタグをタップすればよい。いくつかの実施形態では、前記個人設定されたメッセージは、挨拶、画像及び／又は他のカスタマイズ可能なデジタルコンテンツを含む。
【０００４】
一つの態様では、個人設定されたデジタルコンテンツを対象物にリンクする方法は、前記対象物に関連づけて個人設定されたデジタルコンテンツを作成するために個人的なリンクにアクセスする工程、及び近距離無線通信タグを前記個人的なリンクと符号化する工程を含み、前記近距離無線通信タグは、前記近距離無線通信タグと前記個人的なリンクに固有のシリアルコードとを備え、前記個人設定されたデジタルコンテンツは、前記固有のシリアルコードを有する前記符号化された近距離無線通信タグによってのみアクセス可能に構成され、前記個人設定されたデジタルコンテンツは、前記符号化された近距離無線通信タグのタグ本体がタップされることによって自動的にアクセスされる。いくつかの実施形態では、前記方法は、前記プログラムを電子媒体装置にインストールすることを更に含む。更なる実施形態において、前記近距離無線通信タグは、前記個人設定されたデジタルコンテンツが符号化された後ロックされる。いくつかの実施形態では、前記個人設定されたデジタルコンテンツは個人設定されたウェブアドレス又はウェブベースのプログラムとリンクすることによってアクセスされる。いくつかの実施形態では、前記近距離無線通信タグは、タグ本体内に埋め込まれる。これらの実施形態において、前記方法は、前記タグ本体を追加の対象物に取り付けることを更に含む。いくつかの実施形態では、前記追加の対象物は、ろうそく、グリーティングカード、イベント招待状又は商品ギフトバスケットを含む。更なる実施形態において、前記個人設定されたデジタルコンテンツは、前記追加の対象物に関する。いくつかの実施形態では、前記タグ本体は、前記近距離無線通信タグが符号化された後前記追加の対象物に取り付けられる。
【０００５】
別の態様においては、個人設定されたデジタルコンテンツを対象物にリンクし、前記個人設定されたデジタルコンテンツが前記対象物に関連づけられるシステムは、固有のシリアルコードとタグ本体を含んでいて、追加の対象物に取り付けるために設定されるプログラム可能な近距離無線通信タグと、個人設定されたデジタルコンテンツを有する近距離無線通信タグを符号化し、前記個人設定されたデジタルコンテンツは、前記固有のシリアルコードを有する前記符号化された近距離無線通信タグによってのみアクセス可能に構成されるためのプログラムを含む。いくつかの実施形態では、前記タグが符号化された後、前記個人設定されたデジタルコンテンツは前記近距離無線通信タグをタップすることによって自動的にアクセスされる。更なる実施形態において、前記個人設定されたデジタルコンテンツは、個人設定されたウェブアドレス又はウェブベースのプログラムとリンクすることによってアクセスされる。これらの実施形態において、前記近距離無線通信タグは符号化された後ロックされる。いくつかの実施形態では、前記プログラムは電子媒体装置にインストールされる。いくつかの実施形態では、前記追加の対象物は、ろうそく、グリーティングカード、イベント招待状又は商品ギフトバスケットを含む。更なる実施形態において、前記個人設定されたデジタルコンテンツは、前記追加の対象物に関する。いくつかの実施形態では、前記タグ本体は、前記近距離無線通信タグが符号化された後に前記追加の対象物に取り付けられる。
【０００６】
更なる態様において、個人設定されたデジタルコンテンツを対象物にリンクし、前記個人設定されたデジタルコンテンツが前記対象物に関連づけられる装置は、タグ本体、固有のシリアルコードを備え、前記タグ本体内に埋め込まれるプログラム可能な近距離無線通信タグ、及び前記タグ本体を追加の対象物に取り付ける機構を含み、前記個人設定されたデジタルコンテンツは、前記固有のシリアルコードを有する符号化された近距離無線通信タグによってのみアクセス可能に構成される。いくつかの実施形態において、前記タグ本体は、ろうそく、グリーティングカード、イベント招待状又は商品ギフトバスケットに取り付けられる。いくつかの実施形態では、前記近距離無線通信タグは、個人設定されたデジタルコンテンツによって符号化される。更なる実施形態において、前記個人設定されたデジタルコンテンツは、追加の対象物に関する。いくつかの実施形態では、前記個人設定されたデジタルコンテンツは、個人設定されたウェブアドレス又はウェブベースのプログラムとリンクすることによってアクセスされる。
【０００７】
まだ更なる態様において、個人設定されたデジタルコンテンツを対象物にリンクし、前記個人設定されたデジタルコンテンツが前記対象物に関連づけられる装置は、タグ本体、固有のシリアルコードを備え、前記タグ本体内に埋め込まれるプログラム可能な近距離無線通信タグ及び前記タグ本体を追加の対象物に取り付ける機構及び取り外し可能なカバーを備え、前記個人設定されたデジタルコンテンツは、前記固有のシリアルコードを有する符号化された近距離無線通信タグによってのみアクセス可能に構成される。いくつかの実施形態では、前記取り外し可能なカバーは、ＮＦＣタグを符号化して、前記符号化された情報にアクセスする方法についての指示を含む。いくつかの実施形態では、取り外し可能なカバーは、接着剤で、静電的に、又は、面ファスナーによって、前記タグ本体に取り付けられる。
【図面の簡単な説明】
【０００８】
【図１】図１Ａは、いくつかの実施形態によるカスタマイズ可能な及び／又は個人設定された情報を対象物に自動的にリンクする装置の第１側部を例示する図である。図１Ｂは、いくつかの実施形態によるカスタマイズ可能な及び／又は個人設定された情報を対象物に自動的にリンクさせる装置の第２側部を例示する図である。
【図２】図２は、いくつかの実施形態によるカスタマイズ可能な及び／又は個人設定された情報を対象物に自動的にリンクするシステムを例示する図である。
【図３】図３Ａは、いくつかの実施形態によるカスタマイズ可能な及び／又は個人設定された情報と対象物に取り付けられた対象物を自動的にリンクづける装置を例示する図である。図３Ｂは、いくつかの実施形態によるカスタマイズ可能な及び／又は個人設定された情報を対象物に自動的にリンクさせる装置を例示する図である。
【図４】図４は、いくつかの実施形態によるカスタマイズ可能な及び／又は個人設定された情報を対象物に自動的にリンクする方法を例示する図である。
【発明を実施するための形態】
【０００９】
下記の説明は、本発明のいくつかの実施形態に関する。考察は、図示された好適な実施形態を参照する。しかし、本発明は図示された実施形態に限定されず、考察される実施形態に限定されるものでもない。逆に、発明の範囲は本文書の請求の範囲の文言に基づいてできるだけ広く解釈されなければならない。
【００１０】
この開示は、本発明のいくつかの実施形態を提供する。あらゆる実施形態からのあらゆる特徴も他のあらゆる実施形態からのあらゆる特徴と結合することができると考えられる。このように、図示された実施形態の組み合わせの構成は本発明の範囲内である。
【００１１】
図１Ａ及び図１Ｂを参照すると、カスタマイズ可能な及び／又は個人設定された情報を対象物に自動的にリンクさせる装置が示される。装置１００は、タグ本体１０１及び本体１０１内に取り付けられ又は埋め込まれる近距離無線通信（ＮＦＣ）タグ１０３を備える。いくつかの実施形態では、本体１０１は、装置１００を追加の対象物に取り付けるための接着機構を更に含む。例えば、いくつかの実施形態において、装置１００は、装置１００を追加の対象物に取り付けるための接着材層、面ファスナー又は他の手段を更に含む。
【００１２】
いくつかの実施形態では、ＮＦＣタグ１０３は空白で、ＮＦＣタグ１０３に独特のシリアルコードを含む。ＮＦＣタグ１０３は、個人設定されたデジタルコンテンツでプログラム及び／又は符号化することができる。例えば、ＮＦＣタグ１０３は、個人設定されたウェブアドレスへのリンク又はビデオメッセージ、オーディオメッセージ及び／又は画像等の個人設定されたデジタルコンテンツを含むウェブプログラムによって符号化されることが可能である。いくつかの実施形態では、個人設定されたウェブアドレス又はウェブプログラムは、個人的であってＮＦＣタグ１０３に個有で、ウェブアドレスに対応するシリアルコード及びリンクを有するＮＦＣタグ１０３又はウェブプログラムによってのみアクセスすることが可能である。ＮＦＣタグ１０３が符号化された後、ＮＦＣ対応装置を有するタグ本体１０１をタップすることによって、個人設定されたメッセージは自動的にアクセスされる。ＮＦＣ対応装置は、個人設定されたウェブアドレス又はウェブプログラムにアクセスし、メッセージの再生を開始する。
【００１３】
いくつかの実施形態では、ＮＦＣタグ１０３に個人設定されたコンテンツをプログラム及び／又は符号化するために、ＮＦＣ対応装置が用いられる。図２はいくつかの実施形態によるカスタマイズ可能な及び／又は個人設定された情報を対象物に自動的にリンクするシステムを例示する。いくつかの実施形態において、ＮＦＣ対応装置２１０に搭載さるアプリケーションは、ＮＦＣタグ２０３を個人設定されたデジタルコンテンツでプログラム及び／又は符号化するために用いられる。いくつかの実施形態では、ＮＦＣ対応装置２１０は、スマートフォン又はタブレット等の電子媒体装置である。しかし、適切に備えられたあらゆるＮＦＣ対応装置を用いることが可能である。このように、ユーザは、個人設定されたデジタルコンテンツを作成して、個人設定されたデジタルコンテンツとのリンクを有するＮＦＣタグ２０３を符号化することが可能である。ＮＦＣタグ２０３が符号化されると、図２に示されるようなＮＦＣ装置が、個人設定されたデジタルコンテンツにアクセスするためにタグ本体２０１をタップするために用いられる。上述の通り、タグ本体２０１をタップするときに、ＮＦＣ対応装置は自動的にインターネット２２０を介して個人設定されたウェブアドレス又はウェブプログラムにアクセスして、個人設定されたメッセージの再生を開始する。いくつかの実施形態では、ＮＦＣタグ２０３は、上書きできないように符号化された後、ロックされる。いくつかの実施形態では、ＮＦＣタグ２０３は書き換え可能である。
【００１４】
図３は、いくつかの実施形態によるタグ本体３０１及び追加の対象物３３０に取り付けられたＮＦＣタグを示す。ＮＦＣタグ及びタグ本体３０１は、上述のようにＮＦＣタグ１０３及びタグ本体１０１と類似している。特に、ＮＦＣタグは空白で、ＮＦＣタグに固有の個々のシリアルコードを含む。ＮＦＣタグは、ビデオメッセージ、オーディオメッセージ及び／又は画像等の個人設定されたデジタルコンテンツによってプログラム及び／又は符号化されることが可能である。
【００１５】
図３に示すように、タグ本体３０１は、グリーティングカードに取り付けられる。いくつかの実施形態では、タグ本体３０１は、接着材層又は面ファスナーによってグリーティングカードに取り付けられる。しかし、タグ本体３０１は、当該技術分野で周知のようにあらゆる適切な技法によってグリーティングカードに取り付けることが可能である。これらの実施形態では、ＮＦＣタグは、タグ本体３０１が追加の対象物３３０に取り付けられる前に個人設定されたデジタルコンテンツによってプログラム及び／又は符号化される。具体的には、個人設定されたデジタルコンテンツが作成された後、タグ本体３０１は追加の対象物３３０に取り付けられ、ＮＦＣタグはコンテンツへのリンクによって符号化される。次いで、上述のように、タグ本体３０１がＮＦＣ対応装置によってタップされると、個人設定されたコンテンツはアクセスされ、自動的に再生し始める。
【００１６】
例えば、ユーザがバースデーカードを送っている場合、当該ユーザは、個人設定されたハッピーバースデーメッセージを作成して、コンテンツを固有の及び／又は個人的な個人ウェブアドレス又はウェブプログラムにアップロードすることが可能である。ＮＦＣタグは個人ウェブアドレスへのリンク又はハッピーバースデーメッセージを含むウェブプログラムによって符号化され、ＮＦＣタグを含むタグ本体はバースデーカードに取り付けられる。結果として、バースデーカードが受領され、タグ本体がＮＦＣ対応装置によってタップされると、個人設定されたハッピーバースデーメッセージはアクセスされ、自動的に再生し始める。
【００１７】
いくつかの実施形態では、ＮＦＣタグは、ＮＦＣタグが取り付けられる対象物に関する情報によって符号化される。例えば、ＮＦＣタグ本体はイベント招待状に取り付けられ、ＮＦＣタグはイベントを記載するイベントのホストによって作成される個人設定されたデジタルコンテンツへのリンクによって符号化され、受取人をイベントに招待する。あるいは、いくつかの実施形態において、ＮＦＣタグ本体はギフトバスケットに取り付けられ、ＮＦＣタグは、バスケットのコンテンツを記載している個人設定されたデジタルコンテンツへのリンクによって符号化される。当業者に明らかであるように、ＮＦＣタグはあらゆる適切な所望の情報にリンクすることが可能である。また、ＮＦＣタグ及びＮＦＣタグ本体３０１は、あらゆる適切な所望の対象物に取り付けることが可能である。例えば、いくつかの実施形態では、ＮＦＣタグ及びＮＦＣタグ本体３０１は、ろうそく又は他の贈答品に取り付けられる。いくつかの実施形態では、ＮＦＣタグ本体３０１は、ＮＦＣタグを符号化して、符号化された情報にアクセスする方法についての指示を含む取り外し可能なカバー３０５を更に含む。取り外し可能なカバー３０５は、接着剤で、静電的に、又は面ファスナーによって、タグ本体３０１に取り付けることができる。図３Ｂの範囲内で示されるように、カバー３０５は、ＮＦＣタグが符号化される前に剥離することによって取り外される。
【００１８】
図４は、いくつかの実施形態により、個人設定されたデジタルコンテンツを対象物にリンクする方法を例示する。図４に示すように、ステップ４０４では、個人設定されたデジタルコンテンツを作成するためにプログラムが用いられる。いくつかの実施形態では、個人設定されたデジタルコンテンツは、ビデオメッセージ、オーディオメッセージ又は画像である。例えば、いくつかの実施形態では、個人設定されたデジタルコンテンツは、ハッピーバースデーメッセージである。ステップ４０６では、ＮＦＣタグは、個人設定されたデジタルコンテンツへのリンクによって符号化される。いくつかの実施形態では、ＮＦＣタグはＮＦＣタグに固有のシリアルコードを含み、符号化された個人設定されたデジタルコンテンツはその固有のシリアルコードを有するＮＦＣタグによってのみアクセスすることができる。上述の通り、ＮＦＣ対応装置を有するＮＦＣタグをタップすることで、個人設定されたデジタルコンテンツにアクセスし、再生が開始される。いくつかの実施形態では、ＮＦＣタグは、追加の対象物に取り付けられる。
【００１９】
使用中、符号化可能なＮＦＣタグは、個人設定されたメッセージを作成するために、個人設定されたデジタルコンテンツによってプログラムされ、グリーティングカード又は他の対象物と組み合わされる。個人設定されたデジタルコンテンツをＮＦＣタグにリンクするために、個人メッセージ及び／又は個人挨拶等の個人設定されたデジタルコンテンツが作成される。次いで、固有のシリアルコードを有する空白のＮＦＣタグは、個人設定されたデジタルコンテンツへのリンクによって符号化される。ＮＦＣタグが符号化された後、ＮＦＣ対応装置を有するタグをタップすることにより個人設定されたデジタルコンテンツへのリンクは開き、コンテンツは自動的にＮＦＣ対応装置上で再生し始める。ＮＦＣタグを贈り物又はグリーティングカード等の対象物に取り付けることによって、個人設定されたメッセージは、対象物とともに送ることが可能である。また、ＮＦＣタグがＮＦＣ対応装置によって符号化され、読まれることが可能であるので、ＮＦＣタグは容易にプログラムされ、読まれる。このように、使用すると、個人設定されたメッセージ、対象物及び家族、友人及び仕事上の接触のためのギフトを迅速且つ容易に作成することができる。したがって、本明細書中で記載される発明は、多くの効果を有する。
【００２０】
本発明は、本発明の構造及び作用の原理の理解を容易にするために詳細を組み込んでいる特定実施形態に関して記載してきた。このように、本明細書において、特定実施形態及びその詳細の参照は、本願明細書に追加される請求項の範囲を限定することを意図するものではない。本発明の精神と範囲から逸脱することなく説明のために選択される実施形態において、修正がなされることができることは、当業者にとって明らかである。
【図１】
0006412502.tif 000002
【図２】
0006412502.tif 000003
【図３】
0006412502.tif 000004
【図４】
0006412502.tif 000005